(57)【要約】【技術課題】立ち姿のまま体重を預けて移動するときにキャスターが邪魔にならず、リハビリ時の歩行訓練を独りで行うことができる椅子を提供する。【解決手段】１本の前輪キャスターバー２を前向きとなし、このキャスターバー２の後端に、直角に後輪キャスターバー４を連結することにより、平面視Ｔ字状を呈するように脚座１を形成する。そして、脚座１には、それぞれの先端にキャスター３、５を取り付ける。前記前輪キャスターバー２の略中間から垂直に垂直支柱パイプ６を立ち上げ、この上に高さ調節桿９を取り付け、この上に前記前輪キャスターバー２の向き方向に合わせてサドル１１を取り付ける。【選択図】図２
0003127541.tif 000002
【実用新案登録請求の範囲】
【請求項１】
１本の前輪キャスターバーを前向きとなし、このキャスターバーの後端に、直角に後輪キャスターバーを連結することにより、平面視Ｔ字状に構成された脚座と、この脚座のそれぞれのバーの先端に取り付けられたキャスターと、前記前輪キャスターバーの略中間から垂直に立ち上げられた垂直支柱パイプと、この垂直支柱パイプの上端から内部に下端側が挿入された高さ調節桿と、この高さ調節桿上に取り付けられた前記前輪キャスターバーの向き方向に合わせて前向きに取り付けられたサドルと、から成る立ち仕事兼リハビリ用移動自在椅子。
【請求項２】
前輪キャスターバーと垂直支柱パイプとが着脱自在で、垂直支柱パイプと高さ調節桿及びサドルも着脱自在に構成されていて、分解して運搬及び格納ができるように構成された請求項１に記載の立ち仕事兼リハビリ用移動自在椅子。
【考案の詳細な説明】
【技術分野】
【０００１】
本考案は、立ったまま仕事を行う職場、あるいは台所等において用いると便利であるばかりでなく、体重を預けて立って歩く運動の時に補助的に使用して、リハビリにも使用できる椅子に関するものである。
【背景技術】
【０００２】
長時間立ちっぱなしで仕事を行う職場は多く、このような職場は、労働負荷が大きく、嫌らわれがちである。
また、家庭の台所等で行う炊事の時も、時間が長くなると疲れ易く、特に老人や足腰の弱い人には苦痛を伴うことも多い。
また、リハビリ等に際して行う歩行訓練の一環として、自立に近い姿で両足又は片足を使って自由に移動したりするための補助具がないため、従来であると、手摺り等につかまって歩行訓練を行ったり、松葉杖を使ったりしている。
しかし、手が不自由なために手摺りにつかまることができなかったり、松葉杖が使えない場合には、介護師等の助けを借りなければ歩行訓練を行うことができない、という問題がある。
従来、立ち仕事用に開発された椅子として、次の内容のものが公知である。
【０００３】
【特許文献１】実開平０５−７６３６５号  この内容は、「立った姿勢のままで腰を掛け体重を預け、両足は補助的に床面に着けて置くことにより、いつでも自由に体位が変えられ、手足に力を入れても椅子は動かず安定して支えになり、サドルをはさんだまま伸縮自在キャスター装置により移動もノータッチ、小回り自由な立ち作業用椅子であって、股に挟む瓢箪形クッション腰かけサドル面の、半球状突起クッションによって骨盤を支え、回転自在キャスターはスプリングポストにより、体重がかかればスプリングが約１０ｍｍ縮んだところで台座が着地してキャスターは働かず安定し、体重を足に移して腰を浮かすとキャスターが台座を押し上げて働き、サドルを挟んだまま回転・移動」することができるものである。
【０００４】
しかし、この椅子の場合は、キャスターが十文字状に形成された座金に取り付けられていて、通常の椅子と同じように安定性を高める構造となっている。
このため、体重を預けた時は安定するが、サドルに体重を預けたまま移動する時は、足を使って歩行するような姿勢が必要になるが、この時、十文字状に広がっている座金及びキャスターが、前後に足を動かす時に邪魔になり、大変移動しにくいという問題がある。また、座金やキャスターが足の邪魔になることから、歩行訓練用には用いることができない。そして、仮に足の動きの邪魔にならないように座金の十文字状の広がりを小さくすると、安定性がなくなり、危険でもある。
【考案の開示】
【考案が解決しようとする課題】
【０００５】
本考案の目的は、叙上の如き欠点のない立ち姿のまま体重を預けて仕事を行ったり、そのままの姿勢で移動を行ったり、歩行訓練に有効なキャスター付の椅子を提供することである。
【課題を解決するための手段】
【０００６】
上記目的を達成するため、請求項１に記載の考案においては、立ち仕事兼リハビリ用移動自在椅子において、１本の前輪キャスターバーを前向きとなし、このキャスターバーの後端に、直角に後輪キャスターバーを連結することにより、平面視Ｔ字状に構成された脚座と、この脚座のそれぞれのバーの先端に取り付けられたキャスターと、前記前輪キャスターバーの略中間から垂直に立ち上げられた垂直支柱パイプと、この垂直支柱パイプの上端から内部に下端側が挿入された高さ調節桿と、この高さ調節桿上に取り付けられた前記前輪キャスターバーの向き方向に合わせて前向きに取り付けられたサドルと、から成ることを特徴とするものである。
【０００７】
更に、請求項２に記載の考案においては、請求項１に記載の立ち仕事兼リハビリ用移動自在椅子において、前輪キャスターバーと垂直支柱パイプとが着脱自在で、垂直支柱パイプと高さ調節桿及びサドルも着脱自在に構成されていて、分解して運搬及び格納ができるように構成されたことを特徴とするものである。
【０００８】
上記構成の椅子は、立った姿勢のまま腰を掛けるようにして体重を預け、両足は姿勢を安定させるために床に着けておき、仕事あるいは作業を行う。そして、移動するときは、足に少し力を入れるだけで、任意の方向に向き、自由に移動することができる。この時、使用者の足の間には、前輪キャスターバーが１本あるだけで、後輪キャスターバーは後方にあるため、足の動きの邪魔になることはない。このようなことから、前輪キャスターバーは、十分な長さをとることが必要である。
【考案の効果】
【０００９】
先端にキャスターを取り付けた脚座は、Ｔ字状を呈し、前輪キャスターバーを１本としたことにより、これを跨ぐかたちで両足又は片足を動かすことができるため、歩行時に足の動きの邪魔にならない。
この結果、使い勝手が良くばかりか、特に、リハビリに際しての歩行訓練において使用すると有効であり、また、このとき、手が不自由であったりして手摺りや松葉杖を使えない人でも、脚座がＴ字状を呈しているため安定し、独りで歩行訓練を安全に行うことができる。
また、本考案の脚座はＴ字状を呈しているため、直進方向への移動をスムーズに行うことができると共に、方向転換も楽にできる。
【実施例】
【００１０】
以下に、図１〜図４を用いて本考案の実施例とその使用例を詳細に説明する。各図において、符号の１は、脚座であって、この脚座１は、１本の前輪キャスターバー２を前向きとなし、このキャスターバー２の後端に、直角に後輪キャスターバー４を取り付けることにより、平面視Ｔ字状を呈するように構成されている。そして、この脚座１のそれぞれのバー２、４の先端には、前輪キャスター３、後輪キャスター５がそれぞれ取り付けられている。
【００１１】
６は、前記前輪キャスターバー２の略中間から、基軸パイプ７により垂直に立ち上げられた垂直支柱パイプであって、この垂直支柱パイプ６には、その上端から下端９ａ側が内部に挿入された高さ調節桿９が取り付けられていると共に、この高さ調節桿９上には、前記前輪キャスターバー２の向き方向に合わせて前向きにサドル１１が取り付けられている。
そして、上記椅子は、前輪キャスターバー２と垂直支柱パイプ６とが基軸パイプ７のところでねじ８により着脱自在で、垂直支柱パイプ６と高さ調節桿９とは、高さ調節ツマミ１０のところで着脱自在である。また、高さ調節桿９とサドル１１は、固定ねじ１２で着脱自在に取り付けらている。
【００１２】
上記構成の椅子は、図２に示すように、立った姿勢のまま腰を掛けるようにして体重を預け、両足は姿勢を安定させるために床に着けておき、仕事又は作業を行う。そして、移動するときは、図３に示すように、足に少し力を入れるだけで、任意の方向に向き、自由に移動することができる。この時、使用者の足の間には、図４に示すように、跨ぐだけの前輪キャスターバー２が１本あるだけで、後輪キャスターバー４は後方にあるため、足の動きの邪魔になることはない。
なお、図示はしていないが、必要に応じて移動を規制するブレーキ装置、あるいはリハビリ用の場合は、つかまりバーを前輪キャスターバー２、あるいは垂直支柱パイプ６から上方に向けて取り付けても良い。
【図面の簡単な説明】
【００１３】
【図１】本考案に係る椅子の全体を示す斜視図
【図２】立った姿勢で仕事を行っている状態の説明図
【図３】歩行時の状態を示す説明図
【図４】歩行時の足の位置を示す説明図
【符号の説明】
【００１４】
１  脚座
２  前輪キャスターバー
３  前輪キャスター
４  後輪キャスターバー
５  後輪キャスター
６  支柱パイプ
９  高さ調節桿
１１  サドル
【図１】
0003127541.tif 000003
【図２】
0003127541.tif 000004
【図３】
0003127541.tif 000005
【図４】
0003127541.tif 000006